(57)【要約】【課題】速結端子を採用しているものの、容易に組み立てることができる回路遮断器を提供する。【解決手段】速結端子金具１０、１０と、速結端子金具１０を保持する負荷座２１、２１と、左右両外側に負荷座２１を載置する載置部１６、１６を備えた中間ベース１２と、速結端子金具１０に接続されている電線を抜き取るための部材であり、速結端子金具１０、１０を左右両外側から覆うように、且つ、左右方向を軸として回動可能に中間ベース１２へ左右両外側から組み付けられる解除レバー１４、１４とを有する中間ユニット１１を備えるとともに、下ケース３に、中間ユニット１１を収納するためのユニット収納凹部３２を設け、中間ユニット１１のユニット収納凹部３２への収納に伴い、中間ユニット１１が、ユニット収納凹部３２の左右内面３２ａ、３２ａより、左右の解除レバー１４、１４の更に左右外側から挟持されるようにした。【選択図】図３
2019121437.tif 000002
【特許請求の範囲】
【請求項１】
上ケースと下ケースとを組み付けてなる本体ケースの後部に電源側端子が、前部に速結端子金具を有する負荷側端子が夫々配されているとともに、前記速結端子金具と、前記速結端子金具を保持する負荷座と、左右両外側に前記負荷座を載置する載置部を備えた中間ベースと、前記速結端子金具に接続されている電線を抜き取るための解除レバーとを有する中間ユニットが、前記下ケースに設けられたユニット収納凹部に収納されてなる回路遮断器の組み立て方法であって、
前記負荷座を前記中間ベースの左右外側から前記載置部に夫々載置するとともに、各前記負荷座に前記速結端子金具を保持させ、さらに、前記解除レバーを、前記速結端子金具を左右両外側から覆うように、且つ、左右方向を軸として回動可能に前記中間ベースへ左右両外側から組み付けて前記中間ユニットを組み立てる第１工程と、
組み立てられた前記中間ユニットを前記ユニット収納凹部に収納し、前記中間ユニットを、左右の前記解除レバーの更に左右外側から前記ユニット収納凹部の左右内面で挟持させる第２工程と、
前記下ケースに前記上ケースを組み付ける第３工程と
を実行することを特徴とする回路遮断器の組み立て方法。
【請求項２】
上ケースと下ケースとを組み付けてなる本体ケースの後部に電源側端子が、前部に速結端子金具を有する負荷側端子が夫々配されてなる回路遮断器であって、
前記速結端子金具と、前記速結端子金具を保持する負荷座と、左右両外側に前記負荷座を載置する載置部を備えた中間ベースと、前記速結端子金具に接続されている電線を抜き取るための部材であり、前記速結端子金具を左右両外側から覆うように、且つ、左右方向を軸として回動可能に前記中間ベースへ左右両外側から組み付けられる解除レバーとを有する中間ユニットを備えているとともに、
前記下ケースに、前記中間ユニットを収納するためのユニット収納凹部が設けられ、前記中間ユニットの前記ユニット収納凹部への収納に伴い、前記中間ユニットが、前記ユニット収納凹部の左右内面により、左右の前記解除レバーの更に左右外側から挟持されることを特徴とする回路遮断器。
【請求項３】
前記上ケースの前部に、前記解除レバーの操作部を露出する操作窓が開設されているとともに、前記操作部の上面前端に、初期位置において前記操作窓の前端に当接するリブが設けられていることを特徴とする請求項２に記載の回路遮断器。
【発明の詳細な説明】
【技術分野】
【０００１】
本発明は、たとえば安全ブレーカ等のような回路遮断器、及び当該回路遮断器の組み立て方法に関するものである。
【背景技術】
【０００２】
従来一般的な安全ブレーカタイプの回路遮断器としては、たとえば特許文献１に記載されているような回路遮断器がある。このような回路遮断器は、本体ケースを構成する下ケース上に、端子金具を始めとした内部機構を構成する部品を順に載置していき、最後に上ケースを下ケースに固定して組み立てられる。
【先行技術文献】
【特許文献】
【０００３】
【特許文献１】特開２００２−８５１２号公報
【発明の概要】
【発明が解決しようとする課題】
【０００４】
近年、端子部として所謂速結端子を採用した回路遮断器が求められている。しかしながら、速結端子を採用すると、回路遮断器を組み立てるにあたり、回路遮断器の電源側端子側を前側、負荷側端子側を後側とした場合、速結端子の構造上、速結端子金具は左右両側から組み付ける必要がある。また、速結端子金具に接続する電線を解除するための解除レバーも必要であり、当該解除レバーの組み付けも左右両側からということになる。したがって、下から上へ所定の順序で載置していた従来の回路遮断器と比べると、仮組みの状態で解除レバーや速結端子金具が脱落しやすいこともあり、組み立て作業が非常に煩雑であるという問題が生じる。
【０００５】
そこで、本発明は、上記問題に鑑みなされたものであって、速結端子を採用しているものの、容易に組み立てることができる回路遮断器、及び回路遮断器の組み立て方法を提供しようとするものである。
【課題を解決するための手段】
【０００６】
上記目的を達成するために、本発明のうち請求項１に記載の発明は、上ケースと下ケースとを組み付けてなる本体ケースの後部に電源側端子が、前部に速結端子金具を有する負荷側端子が夫々配されているとともに、前記速結端子金具と、前記速結端子金具を保持する負荷座と、左右両外側に前記負荷座を載置する載置部を備えた中間ベースと、前記速結端子金具に接続されている電線を抜き取るための解除レバーとを有する中間ユニットが、前記下ケースに設けられたユニット収納凹部に収納されてなる回路遮断器の組み立て方法であって、前記負荷座を前記中間ベースの左右外側から前記載置部に夫々載置するとともに、各前記負荷座に前記速結端子金具を保持させ、さらに、前記解除レバーを、前記速結端子金具を左右両外側から覆うように、且つ、左右方向を軸として回動可能に前記中間ベースへ左右両外側から組み付けて前記中間ユニットを組み立てる第１工程と、組み立てられた前記中間ユニットを前記ユニット収納凹部に収納し、前記中間ユニットを、左右の前記解除レバーの更に左右外側から前記ユニット収納凹部の左右内面で挟持させる第２工程と、前記下ケースに前記上ケースを組み付ける第３工程とを実行することを特徴とする。
また、上記目的を達成するために、本発明のうち請求項２に記載の発明は、上ケースと下ケースとを組み付けてなる本体ケースの後部に電源側端子が、前部に速結端子金具を有する負荷側端子が夫々配されてなる回路遮断器であって、前記速結端子金具と、前記速結端子金具を保持する負荷座と、左右両外側に前記負荷座を載置する載置部を備えた中間ベースと、前記速結端子金具に接続されている電線を抜き取るための部材であり、前記速結端子金具を左右両外側から覆うように、且つ、左右方向を軸として回動可能に前記中間ベースへ左右両外側から組み付けられる解除レバーとを有する中間ユニットを備えているとともに、前記下ケースに、前記中間ユニットを収納するためのユニット収納凹部が設けられ、前記中間ユニットの前記ユニット収納凹部への収納に伴い、前記中間ユニットが、前記ユニット収納凹部の左右内面により、左右の前記解除レバーの更に左右外側から挟持されることを特徴とする。
請求項３に記載の発明は、請求項２に記載の発明において、前記上ケースの前部に、前記解除レバーの操作部を露出する操作窓が開設されているとともに、前記操作部の上面前端に、初期位置において前記操作窓の前端に当接するリブが設けられていることを特徴とする。
【発明の効果】
【０００７】
本発明によれば、速結端子金具と、速結端子金具を保持する負荷座と、左右両外側に負荷座を載置する載置部を備えた中間ベースと、速結端子金具に接続されている電線を抜き取るための部材であり、速結端子金具を左右両外側から覆うように、且つ、左右方向を軸として回動可能に中間ベースへ左右両外側から組み付けられる解除レバーとを有する中間ユニットを備えるとともに、下ケースに、中間ユニットを収納するためのユニット収納凹部を設け、中間ユニットのユニット収納凹部への収納に伴い、中間ユニットが、ユニット収納凹部の左右内面により、左右の解除レバーの更に左右外側から挟持されるようにした。したがって、仮組みの状態において解除レバーや速結端子金具が脱落しにくく、回路遮断器を容易に組み立てることができる。
また、請求項３に記載の発明によれば、上ケースの前部に、解除レバーの操作部を露出する操作窓が開設されているとともに、操作部の上面前端に、初期位置において操作窓の前端に当接するリブが設けられている。したがって、仮組みの状態にある中間ユニットを一層確実に保持することができ、組み立て作業の更なる容易化を図ることができる。
【図面の簡単な説明】
【０００８】
【図１】回路遮断器を示した斜視説明図である。
【図２】回路遮断器を上方から示した説明図である。
【図３】回路遮断器を分解した状態を示した斜視説明図である。
【図４】中間ユニットを示した斜視説明図である。
【図５】下ケースに中間ユニットを始めとして各部材を収納した状態を示した説明図である。
【図６】図２中におけるＡ−Ａ線断面を示した説明図である。
【図７】図２中におけるＢ−Ｂ線断面を示した説明図である。
【発明を実施するための形態】
【０００９】
以下、本発明の一実施形態となる回路遮断器について、図面にもとづき詳細に説明する。
【００１０】
図１は、回路遮断器１を示した斜視説明図である。図２は、回路遮断器１を上方から示した説明図である。図３は、回路遮断器１を分解した状態を示した斜視説明図である。図４は、中間ユニット１１を示した斜視説明図である。図５は、下ケース３に中間ユニット１１を始めとして各部材を収納した状態を示した説明図である。図６は、図２中におけるＡ−Ａ線断面を示した説明図である。図７は、図２中におけるＢ−Ｂ線断面を示した説明図である。
【００１１】
回路遮断器１は、上ケース２と下ケース３とを組み立ててなる本体ケース４を有しており、本体ケース４の後部には、２つの端子が左右に並べられてなる電源側端子５が配置されている。この電源側端子５における各端子は、電線を挿入可能な角箱形端子金具６、角箱形端子金具６内へねじ込み可能で、電線と角箱形端子金具６とを電気的に接続するための端子ねじ７、及び角箱形端子金具６から前方へ延びる端子座８等を備えている。そして、各端子座８の前端上面に固定接点９が設けられている。一方、本体ケース４の前部には、２つの端子が左右に並べられてなる負荷側端子が配置されている。そして、本体ケース４の内部で、固定接点９、９の前側には、負荷側端子を構成する速結端子金具１０、１０を保持する中間ユニット１１が設置されている。
【００１２】
中間ユニット１１は、種々の部品が組み付けられる基台となる中間ベース１２と、中間ベース１２に保持される電路用金具１３、１３と、電路用金具１３、１３に保持される速結端子金具１０、１０と、速結端子金具１０、１０から電線を抜き取るための解除レバー１４、１４とを有している。中間ベース１２は、基部の左右両側に側面視が四半円となる扇状の板体１５、１５を固着してなるもので、各板体１５の左右外面には、電路用金具１３を載置可能な載置部１６が左右外側に突設されている。また、各板体１５における前部側で、載置部１６よりも下側となる位置には、左右方向を軸方向として解除レバー１４を軸支するための軸支凹部１７が設けられている。さらに、各板体１５における載置部１６の上側には、後側へ向かって下側へ湾曲する解除レバー１４の摺動面１８ａが設けられている。加えて、各板体１５における載置部１６の後側には、後面が後側へ向かって下側へ湾曲する解除レバー１４の摺動面１８ｂとなるとともに、後面の下端部が後述する可動金具１９の支点となるブロック部２０が左右外側に突設されている。なお、３８は、検電用器具を本体ケース４の外側から後述する負荷座２１の上面に接触可能とするための差込部であり、左右方向で内側に凹んだ凹部として成形されている。
【００１３】
また、電路用金具１３は、載置部１６に載置される負荷座２１、前後方向へ延びる帯状の可動金具１９、及び負荷座２１と可動金具１９とを電気的に接続する可撓電線２２を有している。負荷座２１は、速結端子金具１０を保持するための金具であって、速結端子金具１０の下側を覆う部分、速結端子金具１０の左右方向で内側を覆う部分、及び速結端子金具１０の上側を覆う部分を一体的に有する正面視コ字状に折り曲げられてなる。加えて、負荷座２１の後部には、速結端子金具１０の後側への移動を塞き止めるための阻止壁２３が設けられている。一方、可動金具１９は、後端下面に可動接点２４が設けられてなるもので、前後方向で略中央となる位置には、可動接点２４を固定接点９に対して接続／解離する際に軸となる軸部１９ａ、１９ａが設けられている。
【００１４】
さらに、解除レバー１４は、上下方向に長く延びる板状のカバー部２５を有しており、該カバー部２５の上端には、解除レバー１４を操作するための操作部２６が設けられている。操作部２６は、前後方向へ延びる帯状に成形され、左右方向で内側に突設されており、その下面は、摺動面１８ａ、１８ｂ上を摺動可能な円弧状の曲面とされている。また、操作部２６の前端上面には、上方へ突出するリブ２８が設けられている。また、カバー部２５の下端には、左右方向を軸として解除レバー１４を回動自在に保持するための回動軸部２７が左右方向で内側に突設されている。さらに、カバー部２５の上下方向で略中央部には、左右方向で内側へ突出しており、解除レバー１４の操作時に速結端子金具１０を押圧して変形させるための作用部２９が設けられている。加えて、操作部２６には、検電用器具を差し込み可能な差込孔３９が開設されている。そして、解除レバー１４が初期位置にあると差込孔３９が差込部３８の上方に位置し、負荷座２１の上面が上ケース２側に露出するようになっている。
【００１５】
上述したような中間ベース１２、電路用金具１３、速結端子金具１０及び解除レバー１４を有する中間ユニット１１を組み立てるためには、まず中間ベース１２の載置部１６、１６に対して左右外側から負荷座２１、２１を載置して、電路用金具１３、１３を組み付ける。次に、各電路用金具１３の負荷座２１内に、左右外側から速結端子金具１０を設置する。さらに、中間ベース１２に対して左右外側から回動軸部２７を軸支凹部１７へ差し込んで、解除レバー１４、１４を組み付ければよい。当該組み立て状態にあって、各速結端子金具１０は、負荷座２１及び解除レバー１４のカバー部２５により上下左右を囲まれた格好で中間ベース１２に保持された状態となる。
【００１６】
一方、下ケース３は、上方に開口する箱体であり、角箱形端子金具６等の電源側端子５を構成する部品を収納する収納部、前後方向に回動操作可能なハンドル３０が連結された遮断機構３１を収納する収納部、及び中間ユニット１１の下部を収納するユニット収納凹部３２等を備えてなる。また、下ケース３には、可動接点２４が固定接点９から解離する側へ可動金具１９を付勢するコイルバネ３３、３３を取付可能となっている。さらに、下ケース３の後面には、角箱形端子金具６、６内へ電線を差し込むための電線孔３４、３４が開設されている。
【００１７】
また、上ケース２は、下方に開口する箱体であり、その後部には、端子ねじ７、７を露出するための端子窓３５、３５が開設されている。さらに、上ケース２の前後方向での略中央部には、ハンドル３０を露出させるためのハンドル窓３６が開設されており、上ケース２の前部には、操作部２６、２６を露出させるための操作窓３７、３７が開設されている。加えて、上ケース２の前面には、電線を速結端子金具１０側へ差し込むための２つの入線孔（図示せず）が開設されている。
【００１８】
そして、回路遮断器１を組み立てるに際しては、下ケース３に対して角箱形端子金具６等の電源側端子５を構成する部品、及びコイルバネ３３、３３を取り付ける。次に、中間ユニット１１を上述の如く組み立てた上でユニット収納凹部３２内へ収納しつつ、下ケース３に対して可動金具１９、１９を回動可能に組み付ける。この組み付け状態において、可動金具１９、１９はブロック部２０、２０の下側に位置しており、コイルバネ３３、３３により上方へ付勢されている。また、可動金具１９、１９はブロック部２０、２０の下方を通って中間ベース１２の前方へ突出しており、可動金具１９、１９の上面がブロック部２０、２０に当接し、可動金具１９、１９の動作時の支点として機能するようになっている。さらに、中間ユニット１１のユニット収納凹部３２への収納に伴い、仮組み状態にある中間ユニット１１は、左右の解除レバー１４、１４のカバー部２５、２５がユニット収納凹部３２の左右内面３２ａ、３２ａにより左右外側から挟持されて仮保持されることになる。
【００１９】
その後、遮断機構３１を収納した上で、上ケース２を下ケース３に組み付ける。この上ケース２の下ケース３への組み付けに伴い、ハンドル３０はハンドル窓３６を介して上ケース２よりも上方へ突出する。また、操作窓３７、３７内に解除レバー１４、１４の操作部２６、２６が位置するとともに、速結端子金具１０、１０の付勢力によって初期位置にある解除レバー１４、１４のリブ２８、２８が操作窓３７、３７の前縁に乗り上げた状態となり、中間ユニット１１の仮組み状態が一層安定することになる。そして、最終的に両ケース２、３をねじ止めすれば回路遮断器１の組み立ては完了となる。なお、上ケース２の下ケース３への組み付けに伴って操作窓３７、３７内に解除レバー１４、１４の操作部２６、２６が位置すると、解除レバー１４、１４の外面とユニット収納凹部３２の左右内面３２ａ、３２ａとは僅かに離隔し、解除レバー１４、１４の回動操作に支障を来さないようになる。
【００２０】
以上のような構成を有する回路遮断器１によれば、速結端子金具１０、１０と、速結端子金具１０を保持する負荷座２１を有する電路用金具１３、１３と、左右両外側に負荷座２１を載置する載置部１６、１６を備えた中間ベース１２と、速結端子金具１０に接続されている電線を抜き取るための部材であり、速結端子金具１０、１０を左右両外側から覆うように、且つ、左右方向を軸として回動可能に中間ベース１２へ左右両外側から組み付けられる解除レバー１４、１４とを有する中間ユニット１１を備えるとともに、下ケース３に、中間ユニット１１を収納するためのユニット収納凹部３２を設け、中間ユニット１１のユニット収納凹部３２への収納に伴い、中間ユニット１１が、ユニット収納凹部３２の左右内面３２ａ、３２ａより、左右の解除レバー１４、１４の更に左右外側から挟持されるようにした。したがって、仮組みの状態において解除レバー１４、１４や速結端子金具１０、１０が脱落しにくく、回路遮断器１を容易に組み立てることができる。
【００２１】
また、上ケース２の前部に、解除レバー１４、１４の操作部２６、２６を露出する操作窓３７、３７が開設されているとともに、各操作部２６の上面前端に、初期位置において操作窓３７の前端に当接するリブ２８が設けられている。したがって、仮組みの状態にある中間ユニット１１を一層確実に保持することができ、回路遮断器１の組み立て作業の更なる容易化を図ることができる。
【００２２】
なお、本発明に係る回路遮断器及び回路遮断器の組み立て方法は、上記実施形態の態様に何ら限定されるものではなく、中間ユニットや解除レバー等の構成について、本発明の趣旨を逸脱しない範囲で、必要に応じて適宜変更することができる。
【００２３】
たとえば、上記実施形態では、電源側端子に関して角箱形端子金具を有する従来周知の端子として構成しているが、プラグイン式の端子等、他の構造からなる端子として構成することも可能である。
また、解除レバーにリブを設けるか否か、差込孔を設けるか否か等についても適宜設計変更可能である。
【符号の説明】
【００２４】
１・・回路遮断器、２・・上ケース、３・・下ケース、４・・本体ケース、５・・電源側端子、１０・・速結端子金具、１１・・中間ユニット、１２・・中間ベース、１３・・電路用金具、１４・・解除レバー、１６・・載置部、２５・・カバー部、２６・・操作部、２７・・回動軸部、２８・・リブ、３２・・ユニット収納凹部、３２ａ・・内面、３７・・操作窓。
【図１】
2019121437.tif 000003
【図２】
2019121437.tif 000004
【図３】
2019121437.tif 000005
【図４】
2019121437.tif 000006
【図５】
2019121437.tif 000007
【図６】
2019121437.tif 000008
【図７】
2019121437.tif 000009